(57)【要約】      （修正有）【課題】効率良く空気を清浄化するための交換式ＵＶＣ放射灯を備えた車両用空気清浄器を提供する。【解決手段】車両用光電子空気清浄器の本体は、エキストラクタ・ファン、変圧器、回路基板、及び、偏光端紫外線放射管を含む角柱状構造である。本体には、カーボン・ファイバ・ストリップが固定されることによって、ウィルスを除去する手段が得られることになる合流コンパートメントと、空気合流壁の処置のサイズ及び精確度と同じサイズ及び精確度を備える防護壁と、偏光端紫外線放射管が防護壁の前方部分に一体化して固定されている複数の導体コンパートメントに固定されることによって、必要に応じて、アセンブリを取り出すか、または、入れることによって、使い古されて、汚れた紫外線放射管を交換するための手段を消費者にもたらす。【選択図】図１
2004359231.tif 000002
【特許請求の範囲】
【請求項１】
車両用光電子空気清浄器であって、
所定の精確度の複数のエア・インレットと複数のエア・アウトレットを具備する集合体を起動するための３次元角柱構造ハウジングが含まれており、前記３次元ハウジングに、
前記３次元ハウジングに水平方向に挿入されて、係合し、前記エア・インレットを介して前記３次元ハウジングに空気を吸い込んで、紫外線放射管に通し、前記エア・アウトレットを介して前記ハウジングから送り出すための少なくとも２つのエキストラクタ・ファン手段と、
前記エキストラ・ファン手段と前記ハウジングの間に配置された空気捕集器と、
前記ハウジング内に一体化して接続され、その両端に前記エア・インレットと前記エア・アウトレットが接続されている、紫外線を発生し、陰イオンを生じさせて、陰イオンの量を増大させるための紫外線放射管と、
変圧器が表示灯に接続されており、起動装置を前記紫外線放射管に電気的に接続させる電気回路と、
前記ハウジングと前記空気吸い込み手段の間に、前記電気回路を介して電気的に接続された前記ハウジング上のスイッチ、及び、前記電気回路に電気的に接続されて、コンセントに係合し、そこから受電する電気コードのプラグが含まれていることと、
高負電圧放電／カーボネート・ファイバが前記紫外線放電管と前記エア・アウトレットの間に接続されていることと、
陰イオン発生回路及び２５３．７ｎｍの紫外線を発生する紫外線放射管の起動回路が設けられていることと、
本体の後部に吸気用格子状フレーム装置が設けられていることと、吸気用格子状フレーム装置が前記エア・インレットを形成し、防塵フレーム、防塵ネットとして利用されることと、
防塵カバーが設けられており、前記エキストラクタ・ファンが排気用格子状フレーム装置の内側表面に近接して保持されていることと、前記エア・インレットと前記エキストラクタ・ファンの間に空気捕集器が設けられていることと、前記偏光端紫外線放射管が前記空気捕集器の中央部分に位置することと、
交換可能な紫外線放射管のアセンブリが、カーボン・ファイバ・ストリップが固定されて、ウイルス除去手段をもたらす、合流コンパートメントと、空気合流壁の所定のサイズ及び精確度と同じサイズ及び精確度を備える防護壁と、偏光端紫外線放射管が防護壁の前部に一体化して固定されている、複数の導体コンパートメントに固定された金属バネ導体と金属導体から構成されることを特徴とする、
車両用光電子空気清浄器。
【請求項２】
交換可能な紫外線放射管の前記アセンブリが、本体の矩形保持部の所定のサイズ及び精確度と同じ所定のサイズ及び精確度を備えており、これによって、前記アセンブリを取り出すか、または、入れることによって、使い古されて、汚れた紫外線放射管を交換するための手段を消費者にもたらす、前記アセンブリのチャンバに出入りする手段が得られることを特徴とする、請求項１に記載の車両用光電子空気清浄器。
【請求項３】
前記車両用光電子空気清浄器に、前記偏光端紫外線放射管の直線方向に沿って前記角柱状本体に並べて配置された少なくとも２つのエキストラクタ・ファンが含まれることと、前記空気捕集器が、空気捕集壁及び遮蔽壁によって包囲された空間から構成されることと、前記偏光端紫外線放射管が、清浄器から放出される光線がないように、遮蔽壁の前方部分と後方部分の間に固定されていることを特徴とする、請求項１に記載の車両用光電子空気清浄器。
【請求項４】
支持フレームが、前記本体内側に取り付けられていることと、電源の電子変換器及び電子発生器が、その上方端に設けられていることと、車両用電源または自治体の供給電力に接続するための電源ソケットが前記本体の側面に設けられていることを特徴とする、請求項１に記載の車両用光電子空気清浄器。
【請求項５】
前記本体の前端面に方形の穴が設けられていることと、前記エキストラクタ・ファン及び前記偏光端紫外線放射管を制御するための電源スイッチが配置されていることと、前記方形の穴の上に、機能を表示するためのＬＢＤが納められた穴が設けられていることを特徴とする、請求項１に記載の車両用光電子空気清浄器。
【請求項６】
前記本体が、少なくとも１つのエキストラクタ・ファン、変圧器、少なくとも１つの回路基板、少なくとも偏光端紫外線放射管、及び、少なくとも１つの陰極高電圧放電カーボン・ファイバ・ワイヤを含む、角柱状構造であることと、前記本体に、１つのエア・インレット及び１つのエア・アウトレットが設けられていることと、前記本体の後方上部に、反った表面構造を備える排気用格子状フレーム装置が設けられていることと、前記本体の前方部分に、外側格子状フレーム装置が設けられていることと、前記外側格子状フレーム装置の後方部分に、吸気用格子状フレーム装置が設けられていることと、前記吸気用格子状フレーム装置が、エア・インレットを形成し、固定防塵フレーム、防塵ネット、及び、防塵カバーとして用いられることと、前記陰極高電圧放電カーボン・ファイバ・ワイヤが、前記排気用格子状フレーム装置の前面の中央部分に固定されていることと、前記偏光端紫外線放射管が前記本体の前記エア・アウトレットに取り付けられ、前記空気捕集器内に位置することと、前記エキストラクタ・ファン及び電気モータが、前記吸気用格子状フレーム装置の内側表面に近接して保持されていることを特徴とする、請求項１に記載の車両用光電子空気清浄器。
【請求項７】
前記空気捕集器が、空気捕集壁と遮蔽壁によって包囲された空間から構成されることと、前記偏光端紫外線放射管が、空気清浄器から放出される光がないように、前記遮蔽壁の前方部分と後方部分の間に固定されていることを特徴とする、請求項１に記載の車両用光電子空気清浄器。
【請求項８】
前記空気捕集器が、空気捕集壁と遮蔽壁によって包囲された空間から構成されることと、前記偏光端紫外線放射管が、空気清浄器から放出される光がないように、前記遮蔽壁の前方部分と後方部分の間に固定されていることを特徴とする、請求項５に記載の車両用光電子空気清浄器。
【請求項９】
電子変換器、電源の電子発生器、及び、電力線が設けられていることと、前記本体の下方部分において、前記本体の側面に、車両用電源または自治体の供給電力に接続する電源ソケットが設けられていることを特徴とする、請求項１に記載の車両用光電子空気清浄器。
【請求項１０】
電子変換器、電源の電子発生器、及び、電力線が設けられていることと、前記本体の下方部分において、前記本体の側面に、車両用電源または自治体の供給電力に接続する電源ソケットが設けられていることを特徴とする、請求項５に記載の車両用光電子空気清浄器。
【請求項１１】
前記本体の上方表面に、前記電気モータ、前記エキストラクタ・ファン、前記偏光端紫外線放射管、及び、前記カーボン・ファイバを制御するための電源スイッチが取り付けられる方形の穴が設けられていることと、前記方形の穴の上に、異なるカラーの２つのＬＢＤが固定される２つの穴が設けられていることを特徴とする、請求項１に記載の車両用光電子空気清浄器。
【請求項１２】
その本体が、エキストラクタ・ファン、変圧器、回路基板、及び、偏光端紫外線放射管を含む角柱形状構造をなす、車両用光電子空気清浄器であって、前記本体に１つのエア・インレットと、１つのエア・アウトレットが設けられていることと、前記エア・アウトレットが、前記本体の前方部分に位置し、前記本体の前端面の平面上に、排気用格子状フレーム装置が設けられていることと、前記エア・インレットが前記本体の後方部分に位置し、前記本体の後方端に、吸気用格子状フレーム装置が設けられていることと、前記吸気用格子状フレーム装置が、エア・インレットを形成し、固定防塵フレーム、防塵ネット、及び、防塵カバーとして用いられることと、前記エキストラ・ファンが、前記排気用格子状フレーム装置の内側表面に近接して保持されていることと、前記エア・インレットと前記エキストラクタ・ファンの間に、空気捕集器が設けられていることと、前記偏光端紫外線放射管が前記空気捕集器の中央部分に位置することを特徴とする、車両用光電子空気清浄器。
【発明の詳細な説明】
【技術分野】
【０００１】
本発明は、２００３年１２月３１日に提出された出願番号１０／７５１１３０の非仮出願の一部継続出願である。
【０００２】
本発明は、車両用光電子空気清浄器に関するものであり、とりわけ、自治体の供給電力以外に、車両用電源を用いて、偏光端紫外線によって空気を清浄化することにより、空気中のウイルス、バチルス、黴等を除去することが可能な、交換式ＵＶＣ放射灯を備えた空気清浄器に関するものである。
【背景技術】
【０００３】
屋内または密閉された部屋の換気が不十分であれば、すぐに空気が汚れ、ウイルス及びバチルスが増殖及び拡散することになる。従って、公室及び空調機械室では、手動で、空気を清浄化し、速やかに、ウイルス及びバチルスを除去して、ある特定の室内または領域内を空気を新鮮に保つことが必要になる。夏の期間中の空調機械室における室内の空気の清浄化は、やはり、対処するのが難しい、極めて重要な問題である。ＳＡＲＳウィルスの広範囲にわたる拡散のために、室内空気の清浄化に対してますます注意がひきつけられている。従来の方法では、バチルスを除去するための紫外線が、人体を照射することによって、傷害を生じさせる可能性がある。さらに、現行の一般的な換気及び空調装置は、空気清浄化機能を備えておらず、一般に、単純な除去及び濾過装置が設けられており、大量生産中における交換はコスト有効度が高くない。さらに、自動車、列車、航空機、及び、船舶といった分野での換気が不十分であれば、やはり、既述の問題が生じ、従来の方法では、解決するのに不十分である。さらに、現行の一般的な空気清浄器には、交換式ＵＶＣ放射装置に関して、消費者にＵＶＣ放射灯を交換するための手段を提供するものがない。
【発明の開示】
【発明が解決しようとする課題】
【０００４】
本発明の主たる目的は、先行技術における欠点を克服するため、交換式ＵＶＣ放射灯を備えた空気清浄器を提供すること、及び、紫外線を用いて、また、自動車及び船舶のような輸送手段から電力供給を受ける電源によって紫外線と陰イオンを結合するようなやり方で、効率よく空気を清浄化するための車両用光電子空気清浄器を提供することにある。
【課題を解決するための手段】
【０００５】
従って、車両用光電子空気清浄器が開示される。主本体は、複数のエキストラクタ・ファン、複数の変圧器、複数の回路基板、及び、複数の偏光端紫外線放射管（ＵＶＣ放射装置）、複数の交換可能な紫外線放射管のアセンブリを含む、角柱状構造である。前記本体には、１つのエア・インレットと、１つのエア・アウトレットが設けられており、前記エア・アウトレットは、前記本体の前方部分に位置し、前記本体の前方端面の平面には、排気用格子状フレーム装置が設けられ、前記エア・インレットは、前記本体の後方部分に位置し、前記本体の後方端に、前記吸気用格子状フレーム装置が設けられており、前記吸気用前記吸気用格子状フレーム装置は、エア・インレットを形成し、固定防塵フレーム、防塵ネット、及び、防塵カバーとして用いられ、前記エキストラ・ファンが、前記排気用格子状フレーム装置の内側表面に近接して保持されており、前記エア・インレットと前記エキストラクタ・ファンの間に、空気捕集器が設けられ、前記偏光端紫外線放射管が前記空気捕集管の中央部分に位置している。
【０００６】
本発明のもう１つの態様によれば、その主本体が、複数のエキストラクタ・ファン、複数の変圧器、複数の回路基板、及び、複数の偏光端紫外線放射管（ＵＶＣ放射装置）、複数の交換可能な紫外線放射管のアセンブリ、及び、腹数の陰極高電圧放電カーボン・ファイバ・ワイヤを含む角柱状構造である、車両用光電子空気清浄器が得られる。前記本体には、１つのエア・インレットと、１つのエア・アウトレットが設けられている。前記本体の後方上部には、反った表面構造を備える排気用格子状フレーム装置が設けられており、前記本体の前方部分に、外側格子状フレーム装置が設けられており、前記外側格子状フレーム装置の後方部分に、吸気用格子状フレーム装置が設けられており、前記吸気用格子状フレーム装置が、エア・インレットを形成し、固定防塵フレーム、防塵ネット、及び、防塵カバーとして用いられ、前記陰極高電圧放電カーボン・ファイバ・ワイヤが、前記排気用格子状フレーム装置の前面の中央部分に固定されており、前記偏光端紫外線放射管が前記本体の前記エア・アウトレットに取り付けられて、前記空気捕集器内に位置しており、前記エキストラクタ・ファン及び電気モータが、前記吸気用格子状フレーム装置の内側表面に近接して保持されている。
【０００７】
紫外線には、ウィルス、バチルス、及び、黴を除去するのに抜群の効果があるので、ウィルス、バチルス、及び、黴を除去するため、前記エキストラクタ・ファンの作用によって、空気が前記紫外線管のまわりに強制的に通過させられる。前記偏光端紫外線放射管の直線方向に沿って、２つのエキストラクタ・ファンが並べて配置されているので、空気流量が増し、処理能力が強化されて、空気中のウィルス、バチルス、及び、黴が十分に除去されることになる。
【０００８】
本発明では、前記偏光端紫外線を用いて、空気中のウィルス、バチルス、及び、黴を除去し、一方では、前記陰極高電圧放電カーボン・ファイバ・ワイヤによって、環境内の陰イオンを増加させることが可能であり、前記ファンによって、空気が前記清浄器に吸い込まれると、２つの連続交番作用モードが利用可能になる、すなわち、前記紫外線及び前記高電圧イオン化陰イオンの両方を自動的に、かつ、交互に作用させて、理想の空気清浄化効果が得られるようにする。遮蔽壁及び前記空気捕集器が、本発明の前記本体の前記偏光端紫外線放射管のまわりに設けられており、従って、前記紫外線が、前記本体の外側を照射せず、このため、紫外線の漏洩によるユーザの目の負傷が阻止される。本発明の前記清浄器は、自治体の供給電力と輸送手段の任意の電源の両方を利用することができるので、持運び及び使用に好都合であり、さまざまな場所に適用可能である。
【０００９】
本発明では、交換可能な紫外線放射管の前記アセンブリを用いて、使い古されて、汚れた紫外線放射管の交換時に、前記空気清浄器を開けるという厄介な作業をしなくても、使い古されて、汚れた紫外線放射管を交換するための手段を消費者に提供する。
【発明を実施するための最良の形態】
【００１０】
本発明の望ましい実施態様は、主として、複数列をなすエキストラクタ・ファン、複数の偏光端紫外線放射管、交換可能な紫外線放射管のアセンブリ、及び、複数の空気捕集壁を含む、車両用光電子空気清浄器である。前記エキストラクタ・ファンによって、前記車両用光電子空気清浄器に空気が吸い込まれると、前記偏光端紫外線放射管が起動して、空気中のウィルス、バチルス、及び、黴を除去することが可能な偏光端紫外線を放射することになる。前記車両用光電子空気清浄器には、１つのエア・インレットと１つのエア・アウトレットが設けられている。前記光端紫外線放射管は、前記本体の前記エア・インレット側に取り付けられ、一方、前記エキストラ・ファンは、前記エア・アウトレットに固定されている。ウィルス、バチルス、及び、黴を含む空気が、前記エア・アウトレットを介して本体内に吸い込まれる際、流動空気は、前記エア・アウトレットを通って簡単に入り込んで、移動することが可能であり、また、前記流動空気は、前記車両用光電子空気清浄器の前記吸気用格子状フレーム装置を通って簡単に入り込んで、移動し、さらに、前記排気用格子状フレーム装置に到達することが可能であり、その結果、ウィルス、バチルス、及び、黴を含む空気は、前記偏光端紫外線放射管に接触せざるを得なくなり、このため、前記偏光端紫外線によって、空気中に含まれたウィルス、バチルス、及び、黴が除去されることになる。
【００１１】
図１１、図１２、及び、図１５を参照すると、さらに、前記本発明の前記望ましい実施態様の構成も開示されている。前記車両用光電子空気清浄器は、角柱構造の本体１を備えていて、前記本体１の前方部分の平面には、排気用格子状フレーム換気装置２が設けられており、前記排気用格子状フレーム装置２を介して、バチルスを含む空気が排出される。前記本体１の前方部分には、活性化カーボン・ファイバ・フィルタ５が設けられていて、エア・インレットを形成し、固定換気タービン６、電気モータ７、及び、カーボン・ファイバ・ストリップ８に利用される。機能表示灯１０は、前記排気用格子状フレーム換気装置２の内側表面に近接して保持されている。
【００１２】
交換可能な紫外線放射管２２のアセンブリは、カーボン・ファイバ・ストリップ６が固定されることによって、ウィルスを除去する手段が得られることになる、合流コンパートメント２０と、空気合流壁２４の所定のサイズ及び精確度と同じサイズ及び精確度の防護壁から構成され、偏光端紫外線放射管１４が前記防護壁２４の前方部分に一体化して固定されている複数の導体コンパートメント２６に、金属バネ導体２５及び金属導体２１が固定されている。前記交換可能な紫外線放射線管のアセンブリ２２が、本体１の矩形保持部の所定のサイズ及び精確度と同じ所定のサイズ及び精確度を備えており、その結果、本体１の前記矩形保持部に前記アセンブリを固定することが可能になって、前記アセンブリを取り出すか、または、入れることによって、使い古されて、汚れた紫外線放射管を交換するための手段を消費者にもたらす、前記アセンブリのチャンバに出入りする手段が得られる。
【００１３】
電源スイッチ１１は、電源の電子発生器を保護し、固定するため、電子回路基板９の上方部分において利用可能である。前記本体１の後方部分には穴３９が設けられているが、これは、交換可能な紫外線放射管のアセンブリ２２を取り付けるために利用されるものであり、ユーザが、使い古された、または、汚れた偏光端紫外線放射管１６を交換するためのものである。ＬＥＤ表示灯１６の上には穴１５が設けられているが、これは、機能を表示するために設けられたＬＢＤ１０を固定するために用いられる。
【００１４】
実際には、図４、図５、及び、図９を参照すると、前記車両用光電子空気清浄器が動作すると、ウィルス、バチルス、及び、黴を含む空気は、換気用タービン６によって、前記内側ファン・グリル４を介して、前記本体１の前記空気捕集壁に吸い込まれるので、流入する空気は、前記空気捕集壁に容易に入り込むことができ、さらに、前記排気用格子状フレーム換気装置に到達する。前記偏光端紫外線放射管１４は、前記空気捕集壁の中央部分に設けられているが、これは、ウィルス、バチルス、及び、黴を含む空気が、流動して、前記空気捕集器１８及び１９に入り込み、さらに、前記偏光端紫外線放射管１４と前記空気捕集壁１９の間の合流コンパートメント２０に入り込むと、前記偏光端紫外線放射管１４が、偏光端紫外線を放射して、空気中に含まれたウィルス、バチルス、及び、黴を除去し、次に、清浄化されたきれいで新鮮な空気が、前記エキストラクタ・ファン１０によって、排気用格子状フレーム装置２から排気されることを表している。
【００１５】
前記空気捕集壁１８の前方部分及び後方部分には、前記偏光端紫外線が前記本体１の外側に放射されることによって、ユーザの目が負傷するのを阻止するため、遮蔽壁２１が設けられている。
【００１６】
本発明の入力電力は、図９に示すスイッチ２０を通り、さらに、全波長帯整流回路を通って、速度制御回路を介してエキストラクタ・ファンに供給され、ＤＣ−ＡＣ変換回路を介して前記偏光端紫外線放射管１５の全波整流回路を動作させる。前記車両用光電子空気清浄器における電子回路に関するこの構造の細部は、先行技術に属するものであり、従って、本明細書では省略されている。
【００１７】
本発明の前記車両用光電子空気清浄器は、光によるものであって、ユーザの持ち運びに好都合であるため（列車または自動車用プラグは必要になる）、ユーザは、さまざまな場所において、ウィルス、バチルス、及び、黴のない、きれいで新鮮な空気を吸うことが可能になり、従って、呼吸性感染症を有効に阻止することが可能になる。
【００１８】
図１及び図２には、前記光電子空気清浄器用の交換可能な紫外線放射管の前記アセンブリの詳細な構造が示されている。図１１を参照すると、前記車両用光電子空気清浄器は、角柱状構造の本体１を備えており、前記本体１の前方部分の平面には、排気用格子状フレーム装置２が設けられている。バチルスが除去された空気は、前記排気用格子状フレーム装置２を介して排気される。前記本体１の後方部分には、吸気用格子状フレーム装置５が設けられていて、エア・インレットを形成し、固定防塵フレーム６、防塵ネット７、及び、防塵カバー８として用いられる。エキストラクタ・ファン１０は、前記排気格子状フレーム装置２の内側表面に近接して保持されている。
【００１９】
図５を参照すると、電源の電子発生器を保護及び固定するための支持フレーム９の上方部分において、電子変換器が得られ、前記本体１の側面には、電源ソケット３が設けられていて、車両用電源または自治体の運営するユーザへの電源に対する接続が可能になっている。
【００２０】
図５を参照すると、前記本体１の前方部分には、方形の穴が設けられていて、前記エキストラクタ・ファン１０及び前記偏光端紫外線放射管１４の制御機能を果たす電源スイッチ１５を固定するために用いられる。前記スイッチ１５の上には、穴１６が設けられていて、機能を表示するために設けられるＬＢＤ１７を固定するために利用される。
【００２１】
図４及び図１１を参照すると、前記車両用光電子空気清浄器を動作させると、ウィルス、バチルス、及び、黴を含む空気が、前記エキストラクタ・ファン１０によって、前記防塵ネット７を介して、前記本体１の前記空気捕集壁１８に吸い込まれるので、流入する空気は、容易に前記空気捕集壁１８に入り込むことができ、さらに、前記排気用格子状フレーム装置２に到達する。前記偏光端紫外線放射管１６は、前記空気捕集壁１８の中央部分に設けられているが、これは、ウィルス、バチルス、及び、黴を含む空気が、流動して、前記空気捕集器１８、１９に入り込み、さらに、前記偏光端紫外線放射管１６と前記空気捕集壁１９の間の前記エア・インレット２０に入り込むと、前記偏光端紫外線放射管１６が、偏光端紫外線を放射して、空気中に含まれたウィルス、バチルス、及び、黴を除去し、次に、清浄化されたきれいで新鮮な空気が、前記エキストラクタ・ファン１０によって、排気用格子状フレーム装置２から排気されることを表している。
【００２２】
図４に示すように、空気捕集壁６の前方部分及び後方部分には、前記偏光端紫外線が前記本体１の外側に放射されることによって、ユーザの目が負傷するのを阻止するため、遮蔽壁が設けられている。
【００２３】
本発明の入力電力は、前記スイッチ１５を通り、さらに、全波長帯整流回路を通って、速度制御回路を介してエキストラクタ・ファンに供給され、ＤＣ−ＡＣ変換回路を介して前記偏光端紫外線放射管１５の全波整流回路を動作させる。前記車両用光電子空気清浄器における電子回路に関するこの構造の細部は、先行技術に属するものであり、従って、本明細書では省略されている。
【図面の簡単な説明】
【００２４】
【図１】ＵＶＣ放射装置を示す本発明の側断面図である。
【図２】本発明の平面断面図である。
【図３】本発明の側面図である。
【図４】本発明のもう１つの側断面図である。
【図５】本発明の背面断面図である。
【図６】本発明の正面図である。
【図７】本発明の底面図である。
【図８】本発明のもう１つの側面図である。
【図９】本発明の平面図である。
【図１０】本発明の底面図である。
【図１１】本発明の合成図である。
【図１２】本発明のフィルタ合成図である。
【図１３】本発明の交換可能な紫外線放射管アセンブリの合成図である。
【図１４】本発明の詳細断面図である。
【図１５】本発明の詳細平面断面図である。
【符号の説明】
【００２５】
１  本体
２  排気用格子状フレーム装置
５  カーボン・ファイバ・フィルタ
７  電気モータ
８  カーボン・ファイバ・ストリップ
１０  エキストラクタ・ファン
１４  偏光端紫外線放射管
１８  空気捕集器
１９  空気捕集器
２０  合流コンパートメント
２１  金属導体
２２  紫外線放射管アセンブリ
２４  空気合流壁
２５  金属バネ導体
２６  導体コンパートメント
【図１】
2004359231.tif 000003
【図２】
2004359231.tif 000004
【図３】
2004359231.tif 000005
【図４】
2004359231.tif 000006
【図５】
2004359231.tif 000007
【図６】
2004359231.tif 000008
【図７】
2004359231.tif 000009
【図８】
2004359231.tif 000010
【図９】
2004359231.tif 000011
【図１０】
2004359231.tif 000012
【図１１】
2004359231.tif 000013
【図１２】
2004359231.tif 000014
【図１３】
2004359231.tif 000015
【図１４】
2004359231.tif 000016
【図１５】
2004359231.tif 000017